(57)【要約】      （修正有）【課題】電源ＩＣの特性に関係なく，モータから発生する誘起電圧で電源回路が誤起動することのない洗濯機または洗濯乾燥機を提供する。【解決手段】洗濯物を洗うための洗濯槽と、前記洗濯槽を回転させるためのモータ１９を備えた洗濯機および洗濯乾燥機において，商用電源５１を平滑させる平滑回路５２と，平滑回路５２からの直流電圧を受けモータ１９への供給を行なうインバータ回路５４と、洗濯機および洗濯乾燥機の運転とインバータ回路５４を制御する制御回路５７と、商用電源５１を用いて制御回路５７の電源電圧を出力する電源回路５５と、インバータ回路５４と電源回路５５を接続及び分離する分離回路５３とを備え、モータ１９の誘起電圧が電源回路５５に印加されないので、電源回路５５が誤起動することを抑制できる。【選択図】図４
2017131469.tif 000002
【特許請求の範囲】
【請求項１】
洗濯物を洗うための洗濯槽と，前記洗濯槽を回転させるためのモータを備えた洗濯機および洗濯乾燥機において，
商用電源を平滑させる平滑回路と，
前記平滑回路からの直流電圧を受け前記モータへの供給を行なうインバータ回路と，
前記洗濯機および洗濯乾燥機の運転と前記インバータ回路を制御する制御回路と，
前記商用電源を用いて前記制御回路の電源電圧を出力する電源回路と、
前記インバータ回路と前記電源回路を接続及び分離する分離回路と、を備える洗濯機および洗濯乾燥機。
【請求項２】
請求項１に記載の洗濯機および洗濯乾燥機において，
前記分離回路の接続および分離の動作を，前記制御回路で行なうことを特徴とする洗濯機および洗濯乾燥機。
【請求項３】
請求項１に記載の洗濯機および洗濯乾燥機において，
前記分離回路の接続および分離の動作を，前記電源回路で行なうことを特徴とする洗濯機および洗濯乾燥機。
【発明の詳細な説明】
【技術分野】
【０００１】
家庭用の洗濯機および洗濯乾燥機に関する。
【背景技術】
【０００２】
従来，洗濯機および洗濯乾燥機は，外槽内に回転自在に設置した洗濯槽と，洗濯槽の底部に回転自在に設置した洗濯翼と，洗濯槽および洗濯翼を回転駆動する電導駆動装置を備え，電導駆動装置によって洗濯槽および洗濯翼をクラッチによる切り替え手段で選択的に回転駆動することにより，洗濯槽内の洗濯物を撹拌して洗い工程とすすぎ工程を行い，その後，洗濯槽を高速回転させて洗濯物を遠心脱水する構成である。
【０００３】
電導駆動装置は，インバータ回路により電動機に電圧を供給する構成であり，また電動機としてＤＣブラシレスモータを使用して，多様な洗濯および脱水運転を実現することができるようにした洗濯機および洗濯乾燥機が特許文献１で提案されている。また，ＤＣブラシレスモータと洗濯機の制御回路の電源電圧を出力させる電源回路が接続されている回路構成が特許文献２に示されている。
【先行技術文献】
【特許文献】
【０００４】
【特許文献１】特開平９−１２１５８４
【特許文献２】特開２００１−４６７８２
【発明の概要】
【発明が解決しようとする課題】
【０００５】
しかしながら，近年，洗濯機および洗濯乾燥機の動作を制御する回路および負荷を駆動させるための電源電圧を出力する電源回路で使用する電源ＩＣは低損失化に伴い性能が向上し，より低電圧で起動が可能な電源ＩＣが提案されている。このため，従来の起動電圧に対し低い電圧で電源回路が起動することが可能となっている。一方，モータが回転すると発生する誘起電圧はインバータ回路と平滑回路を経由して電源回路に印加されることになるが，従来はモータが回転するときに発生する誘起電圧では電源回路の起動電圧に達しないためモータの誘起電圧によって電源回路の誤起動が発生することはなかった。しかし，前述したような電源ＩＣを用いた電源回路の場合は，電源回路の起動電圧が従来の電圧より低下する傾向にあり，モータの誘起電圧が電源回路の起動電圧に達してしまう可能性があるため，その場合には，電源回路が誤起動してしまうといった懸念が生じるという課題があった。
【０００６】
本発明は，上記課題を解決するもので，電源ＩＣの特性に関係なく，モータから発生する誘起電圧で電源回路が誤起動することのない洗濯機および洗濯乾燥機を提供することを目的とする。
【課題を解決するための手段】
【０００７】
本発明は従来の課題を解決するために，洗濯物を洗うための洗濯槽と，前記洗濯槽を回転させるためのモータを備えた洗濯機および洗濯乾燥機において，商用電源を平滑させる平滑回路と，前記平滑回路からの直流電圧を受け前記モータへの供給を行なうインバータ回路と，前記洗濯機および洗濯乾燥機の運転と前記インバータ回路を制御する制御回路と，前記商用電源を用いて前記制御回路の電源電圧を出力する電源回路と、前記インバータ回路と前記電源回路を接続及び分離する分離回路と、を備える。
【発明の効果】
【０００８】
本発明によれば，モータの誘起電圧が電源回路に印加されないようにし，電源ＩＣの特性に関わらず，モータの誘起電圧で電源回路が誤起動することを抑制し，安全性の高い洗濯機を提供することが可能となる。
【図面の簡単な説明】
【０００９】
【図１】洗濯機の縦断面図
【図２】コントロール基板構成の従来のブロック図１
【図３】モータ誘起電圧発生時のコントロール基板構成の従来のブロック図１
【図４】コントロール基板構成の回路ブロック図１
【図５】コントロール基板構成の回路ブロック図２
【図６】コントロール基板構成の回路ブロック図３
【図７】コントロール基板構成の回路ブロック図４
【発明を実施するための形態】
【００１０】
以下，本発明の実施例を説明する。図１は本発明の一形態を示す洗濯機の縦断面図であり，この実施の形態では洗濯機の一例として全自動洗濯機の概要を示す。
【００１１】
図１に示す洗濯機の縦断面図において，洗濯機は洗濯機外枠１と、洗濯機外枠１を下から支持する外枠ベース２、洗濯機外枠１の上に設けられたトップカバー３、トップカバー３に開閉自在に備わる蓋４が設けられている。外槽５は洗濯機外枠１の上側内部に設けたコーナ支持部８より垂下する吊棒７に防振バネ２１を介して防振支持される。
【００１２】
洗濯槽９は外槽５内に回転自在に置かれる。モータ１９としてのＤＣブラシレスモータは外槽５の底側下面に設けられる。モータ１９はフランジ２０を用いて外槽５にしっかり取り付けられる。モータ１９の回転主軸３３は洗濯槽９の底面フランジ３９に固定され、洗濯槽９を支持する。
【００１３】
回転主軸３３の中心には洗濯槽９内に回転自在に置かれる洗濯翼１１を左右に回転させる内側回転軸（図示せず）が備わっている。
【００１４】
モータ１９は、クラッチ３１による切り替え手段（図示せず）で洗濯槽９と洗濯翼１１の回転動作を切り替えられる。
【００１５】
洗濯物３８の洗いでは，モータ１９は左右に回転し，洗濯翼１１も左右に回転し洗濯物３８の撹拌が行われる。
【００１６】
洗濯物３８の脱水では，モータ１９は高速で回転し、洗濯槽９も高速回転し，洗濯槽９の胴体に設けた脱水穴１２から遠心脱水が行われる。
【００１７】
排水電磁弁２２は外槽５の底部に設けた排水口に連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。
【００１８】
コントロール基板２７はトップカバー３の後側（図示せず）に備えられる。電源スイッチ４０はトップカバー３の前側に設けられる。電源スイッチ４０を投入し、表示基板３６に設けられる各種入力スイッチを操作して洗濯機の動作を設定する。
【００１９】
外槽５内に貯留する洗濯水の水位は水圧の変化により水位センサー４１により検知され、その水位情報はコントロール基板２７に提供され、給水と排水を制御する。
【００２０】
排水電磁弁２２は外槽５の底部に設けた排水口２２aに連通する排水ホース２３に備わる。洗濯やすすぎで使った水は排水電磁弁２２の開放で排水ホース２３を通じて機外へ排水される。
【００２１】
脱水が行われる脱水運転は排水電磁弁２２を開放したままで行う。排水電磁弁２２の開閉、モータ１９の運転、停止、速度調整はコントロール基板２７により制御される。
【００２２】
図２と３はコントロール基板２７と周辺部品の従来の構成例を例示する。
【００２３】
コントロール基板２７はモータ１９の動作を制御する回路が搭載されている。まず，電源スイッチ４０がＯＮしている時，平滑回路５２は商用電源５１から供給された電圧を，モータ１９を駆動させるための電圧に平滑し，平滑した電圧はインバータ回路５４に供給される。一方，電源回路５５は商用電源５１から電圧が供給されると起動し，インバータ回路５４を制御するための制御回路５７に電圧を出力する。電源回路から電圧を供給された制御回路５７はインバータ回路５４を制御しモータ１９に電圧を供給し，モータを回転させる。しかし，図３に示すように，電源スイッチ４０がＯＦＦしている時は，商用電源５１は供給されず，モータ１９を回転させることによって発生する誘起電圧がインバータ回路５４と平滑回路５２を経由して電源回路５５に印加される。一方，電源回路５５で使用する電源ＩＣ５６は低損失化に伴い性能が向上したため，より低電圧で起動が可能な電源ＩＣ５６が提案されており，低い電圧で電源回路５５が起動することが可能となっている。ゆえに，モータ１９から発生した誘起電圧が電源回路５５の起動電圧に達してしまう可能性があり，電源回路５５が誤起動してしまうといった懸念が生じていた。
【００２４】
本実施例の一例として，コントロール基板２７と周辺部品の回路構成を，図４を用いて説明する。
【００２５】
まず，電源スイッチ４０がＯＮしている時，平滑回路５２は商用電源５１から供給された電圧を，モータ１９を駆動させるための電圧に平滑する。平滑した電圧はインバータ回路５４に供給される。ここで，平滑回路５２と電源回路５５の間に分離回路５３を配置する。電源スイッチ４０がＯＦＦしている時は，商用電源５１が供給されず，モータ１９を回転させたときに発生する誘起電圧は，分離回路５３でインバータ回路５４と平滑回路５２に印加されるが，分離回路５３によって平滑回路５２と電源回路５５を分離させることによって，電源回路５５に供給させず，電源回路５５の誤起動を抑制する。分離回路５３の分離および接続の制御は制御回路５７で行なう。また，前述した分離回路５３の分離および接続の制御を電源回路５５の分離回路５３への駆動電圧供給の有無で行なう回路構成を図５に示す。
【００２６】
さらに別の一例として，電源回路５５に供給する電圧を平滑回路５２で平滑された電圧とした回路構成を図６に示す。上記図４，図５と同様に電源スイッチ４０がＯＦＦしているときは，モータ１９を回転させたときに発生する誘起電圧は，インバータ回路５４と電源回路５５の間に配置した分離回路５３で分離され，上記誘起電圧は電源回路５５には供給されず，電源回路５５の誤起動を抑制する。また，前述した分離回路５３の分離および接続の制御を電源回路５５の分離回路５３への駆動電圧供給の有無で行う回路構成を図７に示す。
【００２７】
これによって，モータ１９が回転することによって発生する誘起電圧が電源回路５５に印加せず，低損失化に伴い性能が向上した電源ＩＣ５６を電源回路５５で使用しても，電源回路５５が誤起動することを抑制することが可能となり，安全性の高い洗濯機を提供することができる。
【図１】
2017131469.tif 000003
【図２】
2017131469.tif 000004
【図３】
2017131469.tif 000005
【図４】
2017131469.tif 000006
【図５】
2017131469.tif 000007
【図６】
2017131469.tif 000008
【図７】
2017131469.tif 000009